(57)【要約】【課題】デザイン性が損なわれることなく、放熱性に優れ、三脚等を取り付けたときの底弾性部材のズレを防止することを可能とする。【解決手段】底部材１１と、底部材１１の底面から突出した複数の放熱部材１２と、底部材１１の底面に貼付され、放熱部材１２と嵌合する複数の貫通孔１３ａを有する底弾性部材１３とを備えた。【選択図】図２
2013171158.tif 000002
【特許請求の範囲】
【請求項１】
底部材と、
前記底部材の底面から突出した複数の放熱部材と、
前記底部材の底面に貼付され、前記放熱部材と嵌合する複数の貫通孔を有する底弾性部材と、
を備えた底構造。
【請求項２】
請求項１に記載の底構造において、
前記放熱部材は、前記底部材に形成されていること、
を特徴とする底構造。
【請求項３】
請求項１に記載の底構造において、
前記底部材の内部に配置された金属部材を備え、
前記放熱部材は、前記金属部材に形成されており、
前記底部材は、前記放熱部材と嵌合する複数の貫通孔を有すること、
を特徴とする底構造。
【請求項４】
請求項１から請求項３までのいずれか１項に記載の底構造において、
前記底弾性部材は、前記放熱部材によって位置決めされること、
を特徴とする底構造。
【請求項５】
請求項１から請求項４までのいずれか１項に記載の底構造において、
前記底弾性部材は、前記放熱部材よりも突出していること、
を特徴とする底構造。
【請求項６】
請求項１から請求項５までのいずれか１項に記載の底構造において、
前記放熱部材は、その頂部が外観面に露出していること、
を特徴とする底構造。
【請求項７】
請求項１から請求項６までのいずれか１項に記載の底構造において、
前記底部材は、前記底弾性部材に覆われていない部分に、遮熱塗装が施されていること、
を特徴とする底構造。
【請求項８】
請求項１から請求項７までのいずれか１項に記載の底構造において、
前記底部材は、少なくとも一部が三脚又は一脚の雲台に固定されること、
を特徴とする底構造。
【請求項９】
請求項１から請求項８までのいずれか１項に記載の底構造において、
前記底部材は、金属であること、
を特徴とする底構造。
【請求項１０】
請求項１から請求項９までのいずれか１項に記載の底構造を備えるカメラボディ。
【発明の詳細な説明】
【技術分野】
【０００１】
本発明は、底構造及びカメラボディに関するものである。
【背景技術】
【０００２】
従来技術として、例えば、外周面に放熱用のリブが設けられたデジタルカメラ筐体が知られている（特許文献１等）。
【０００３】
また、カメラの底面を雲台に取り付け、３本の足で支えて安定させる三脚が知られている。このとき、カメラの底面には、底ゴムが貼付されていた。
【先行技術文献】
【特許文献】
【０００４】
【特許文献１】特開２００９−１６４４５５号公報
【発明の概要】
【発明が解決しようとする課題】
【０００５】
しかし、従来技術では、カメラ筐体の外周面にリブに設けていたので、デザイン性が損なわれるという問題があった。
また、カメラを三脚に付けたときに、回転方向のカが加わり、底ゴム（底弾性部材）がずれてしまうという問題があった。
【０００６】
本発明の課題は、デザイン性が損なわれることなく、放熱性に優れ、三脚等を取り付けたときの底弾性部材のズレを防止することができる底構造及びカメラボディを提供することである。
【課題を解決するための手段】
【０００７】
前記課題を解決するために、請求項１の発明は、底部材（１１，２１）と、前記底部材の底面から突出した複数の放熱部材（１２，２２）と、前記底部材の底面に貼付され、前記放熱部材と嵌合する複数の貫通孔（１３ａ、２３ａ）を有する底弾性部材（１３，２３）と、を備えた底構造である。
請求項２の発明は、請求項１に記載の底構造において、前記放熱部材（１２）は、前記底部材に形成されていること、を特徴とする底構造である。
請求項３の発明は、請求項１に記載の底構造において、前記底部材の内部に配置された金属部材（２４）を備え、前記放熱部材（２２）は、前記金属部材（２４）に形成されており、前記底部材（２１）は、前記放熱部材と嵌合する複数の貫通孔（２１ｆ）を有すること、を特徴とする底構造である。
請求項４の発明は、請求項１から請求項３までのいずれか１項に記載の底構造において、前記底弾性部材は、前記放熱部材によって位置決めされること、を特徴とする底構造である。
請求項５の発明は、請求項１から請求項４までのいずれか１項に記載の底構造において、前記底弾性部材は、前記放熱部材よりも突出している（δ）こと、を特徴とする底構造である。
請求項６の発明は、請求項１から請求項５までのいずれか１項に記載の底構造において、前記放熱部材は、その頂部（１２ａ、２２ａ）が外観面に露出していること、を特徴とする底構造である。
請求項７の発明は、請求項１から請求項６までのいずれか１項に記載の底構造において、前記底部材は、前記底弾性部材に覆われていない部分（１１ｅ、２１ｅ）に、遮熱塗装が施されていること、を特徴とする底構造である。
請求項８の発明は、請求項１から請求項７までのいずれか１項に記載の底構造において、前記底部材（１１，２１）は、少なくとも一部が三脚又は一脚の雲台に固定されること、を特徴とする底構造である。
請求項９の発明は、請求項１から請求項８までのいずれか１項に記載の底構造において、前記底部材は、金属であること、を特徴とする底構造である。
請求項１０の発明は、請求項１から請求項９までのいずれか１項に記載の底構造を備えるカメラボディである。
以上、理解を容易にするために、本発明の実施形態に対応する符号を付して説明したが、これに限定されるものではない。なお、符号を付して説明した構成は、適宜改良してもよく、また、少なくとも一部を他の構成に代替してもよい。
【発明の効果】
【０００８】
本発明によれば、デザイン性が損なわれることなく、放熱性に優れ、三脚等を取り付けたときの底弾性部材のズレを防止することができる、という効果がある。
【図面の簡単な説明】
【０００９】
【図１】本発明によるカメラボディの底構造の第１実施形態を示す斜視図である。
【図２】第１実施形態に係る底構造を示す分解斜視図である。
【図３】第１実施形態に係る底構造の拡大断面図である。
【図４】本発明によるカメラボディの底構造の第２実施形態を示す斜視図である。
【図５】第２実施形態に係る底構造を示す分解斜視図である。
【図６】第２実施形態に係る底構造の拡大断面図である。
【発明を実施するための形態】
【００１０】
（第１実施形態）
以下、図面等を参照して、本発明の実施の形態について、さらに詳しく説明する。
図１は、本発明によるカメラボディの底構造の第１実施形態を示す斜視図である。
図２は、第１実施形態に係る底構造を示す分解斜視図である。
図３は、第１実施形態に係る底構造の拡大断面図である。
第１実施形態の底構造１０は、底カバー１１と、放熱フィン１２と、底ゴム１３とを備えている。
【００１１】
底カバー１１は、デジタル一眼レフカメラのカメラボディの底面の外装部品であり、図２に示すように、電池を挿入するための挿入穴１１ａ，三脚又は一脚を取り付けるための取付穴１１ｂ、レンズ鏡筒の一部をなす鏡筒カバー部１１ｃ、底ゴム１３で覆われる座面１１ｄ、底ゴム１３よりも外周の外周部１１ｅなどを備えている。
底カバー１１は、底ゴム１３に覆われていない外周部１１ｅに、温度の上昇を防ぐ遮熱塗装が施されている。この遮熱塗装は、例えば、遮熱シリコン系塗料や遮熱フッ素系塗料等を用いることができる。
【００１２】
放熱フィン１２は、底カバー１１の座面１１ｄから突出した複数の放熱リブからなるものである。この実施形態では、放熱フィン１２は、アルミニウムやマグネシウム等の金属によりダイキャストによって底カバー１１と一体に成形されている。
また、放熱フィン１２は、その頂部１２ａが外観面に露出している（図３参照）。このため、三脚等の雲台に食いつきがよく、放熱効率も向上させることができる。
【００１３】
底ゴム１３は、底カバー１１の座面１１ｄに貼付され、放熱フィン１２と嵌合する複数の貫通孔１２ａを有する部材である。
この底ゴム１３は、放熱フィン１２によって位置決めされている。このため、三脚等を取り付けた際の回転方向のカに対して強くなる。
底ゴム１３は、図３に示すように、表面部１３ｂが放熱フィン１２の頂部１２ａよりも寸法δだけ突出している。このため、放熱フィン１２の頂部１２ａに手で直接触れることなく、また、底ゴム１３は、三脚等を取り付けた際に、この寸法δだけつぶれて、すべり防止効果が得られる。
【００１４】
以上説明したように、第１実施形態によれば、以下のような効果がある。
（１）底カバー１１に、放熱フィン（リブ）１２を設けたので、底構造１０に放熱効果を持たせることができる。底カバー１１が金属のときは、底カバー１１に放熱フィン１２を一体的に設けることができる。
（２）底カバー１１の座面１１ｄに、底ゴム１３を貼ったので、その放熱フィン１２の放熱効果を減らすことなく、すべり防止効果が得られるようになった。
（３）底ゴム１３は、放熱フィン１２によって、ズレ防止の効果を得ることができ、三脚を取り付けた際の回転方向のカに対して強くなる。
（４）また、放熱フィン１２に合わせて底ゴム１３を貼るので、底ゴム１３の位置決め効果も得られる。それに加えて、放熱フィン１２の放熱効果も得られる。
（５）底カバー１１の凹凸は、従来からあるので、デザイン性を損なわない。
【００１５】
（第２実施形態）
図４は、本発明によるカメラボディの底構造の第２実施形態を示す斜視図である。
図５は、第２実施形態に係る底構造を示す分解斜視図である。
図６は、第２実施形態に係る底構造の拡大断面図である。
なお、第２実施形態では、第１実施形態と同様な機能を果たす部分には、末尾に共通した符号を付して、適宜説明を省略する。
第２実施形態の底構造２０は、底カバー２１と、放熱フィン２２と、底ゴム２３、金属板２４とを備えている。
【００１６】
第２実施形態が第１実施形態と異なる点は、底カバー２１の内部近傍に配置された金属板２４を備え、放熱フィン２２は、金属板２４に一体に成形されており、また、底カバー２１は、放熱フィン２２と嵌合する複数の貫通孔２１ｆを有することである。
金属板２４は、例えば、撮像素子、画像処理チップ、電源等と直接又は間接的に接している。
【００１７】
第１実地形態のように、底カバー１１が金属のときは、底カバー１１に放熱フィン２２を設けることができる。この第２実施形態は、例えば、底カバー２１がプラスチックのときに特に好適であって、カメラボディ内部にある三脚座２４ａを有する金属板２４をダイキャストで成形し、放熱フィン２２を設け、底カバー２１に貫通孔２１ｆを開けることによって、その放熱フィン２２を外部に露出させることができる。
【００１８】
このように、第２実施形態によれば、底カバー２１が金属のみならず、プラスチックのときであっても、カメラ内部の底力バー２１の近傍の金属板２４に放熱フィン２２を設け、底カバー２１に貫通孔２１ｆを開けることによって、放熱フィン２２を外に露出させることができる。
【００１９】
（変形形態）
以上説明した実施形態に限定されることなく、種々の変形や変更が可能であって、それらも本発明の技術的範囲内である。
（１）上記実施形態では、カメラボディの底構造の例で説明したが、望遠レンズの三脚取付座に同様な構造を適用することもできる。
（２）上記実施形態では、デジタル一眼レフカメラを例に説明したが、コンパクトカメラや、ビデオカメラなどにも同様に適用することができる。
また、上記実施形態および変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００２０】
１０：底構造、１１：底カバー、１２：放熱フィン、１３：底ゴム、２０：底構造、２１：底カバー、２２：放熱フィン、２３：底ゴム、２４：金属板
【図１】
2013171158.tif 000003
【図２】
2013171158.tif 000004
【図３】
2013171158.tif 000005
【図４】
2013171158.tif 000006
【図５】
2013171158.tif 000007
【図６】
2013171158.tif 000008